(57)【要約】【課題】  非常時に、簡単な操作で、周囲と緊急連絡先に危険や状況を知らせることができる携帯電話機の提供。【解決手段】  警報音を発生させる緊急警報手段と、予め登録した緊急連絡先に自動発信する緊急通報手段を備える携帯電話機であって、上記緊急警報手段と上記緊急通報手段を機能させる非常ボタンを設け、当該非常ボタンをワンクリックすると、上記緊急警報手段と上記緊急通報手段が同時に機能することにより、非常時に、簡単な操作で、迅速に周囲と緊急連絡先とに危険や状況を知らせることができる。又、非常ボタンを所定時間以上押し続けると、緊急通報手段のみが機能して、緊急警報手段は機能しないことにより、警報音を発生させずに緊急連絡先に自動発信することができる。【選択図】  図３
0003146368.tif 000002
【実用新案登録請求の範囲】
【請求項１】
警報音を発生させる緊急警報手段と、予め登録した緊急連絡先に自動発信する緊急通報手段を備える携帯電話機であって、上記緊急警報手段と上記緊急通報手段を機能させる非常ボタンを設け、当該非常ボタンをワンクリックすると、上記緊急警報手段と上記緊急通報手段が同時に機能することを特徴とする携帯電話機。
【請求項２】
非常ボタンを所定時間以上押し続けると、緊急通報手段のみが機能することを特徴とする請求項１記載の携帯電話機。
【請求項３】
緊急通報手段は、緊急連絡先以外との通話状態を解除して機能することを特徴とする請求項１乃至請求項２のいずれかに記載の携帯電話機。
【考案の詳細な説明】
【技術分野】
【０００１】
本考案は、例えば、強盗・誘拐・痴漢等の各種犯罪による事件や交通事故等の事故に巻き込まれる恐れがある際、又は、巻き込まれた際等の非常時に、迅速に周囲と緊急連絡先に危険や状況を知らせることができる携帯電話機に関するものである。
【背景技術】
【０００２】
近年、時間や場所に限定されることなく外部と連絡を取ることのできる携帯電話機が広く一般に普及しており、多くの人が携帯電話機を常に携帯している。
そのため、事件や事故に巻き込まれる恐れがある際、又は、巻き込まれた際等の非常時には、携帯電話機を利用して、家族や警察又は民間警備会社等の緊急連絡先に危険や状況を知らせる場合が多くなっている。又、通常、携帯電話機には、一つのボタンをワンクリックするだけで予め登録した連絡先に自動発信する機能が付加されているので、予め緊急連絡先を登録しておけば、迅速に緊急連絡先に危険や状況を知らせることができる。
【考案の開示】
【考案が解決しようとする課題】
【０００３】
しかし、従来の携帯電話機にあっては、非常時に、緊急連絡先に危険や状況を知らせることができたとしても、周囲に危険や状況を知らせる手段がない関係で、不審者を直接威嚇したり、周囲に助けを求めたりすることが困難なため、必ずしも効果的でないという問題点があった。
又、上記問題点を補完するために防犯ブザーを併用したとしても、非常時に、防犯ブザーと携帯電話機を個々に操作する必要があるため、迅速に周囲と緊急連絡先に危険や状況を知らせることができないという問題点もあった。
更に、従来の携帯電話機にあっては、通話中には、一つのボタンをワンクリックするだけで予め登録した連絡先に自動発信する機能を使うことはできなかった。
【課題を解決するための手段】
【０００４】
本考案は、斯かる実情に鑑み開発されたもので、請求項１記載の考案は、警報音を発生させる緊急警報手段と、予め登録した緊急連絡先に自動発信する緊急通報手段を備える携帯電話機であって、上記緊急警報手段と上記緊急通報手段を機能させる非常ボタンを設け、当該非常ボタンをワンクリックすると、上記緊急警報手段と上記緊急通報手段が同時に機能することを特徴とする。
【０００５】
請求項２記載の考案は、請求項１を前提として、非常ボタンを所定時間以上押し続けると、緊急通報手段のみが機能することを特徴とする。
【０００６】
請求項３記載の考案は、請求項１乃至請求項２を前提として、緊急通報手段は、緊急連絡先以外との通話状態を解除して機能することを特徴とする。
【考案の効果】
【０００７】
依って、請求項１記載の考案にあっては、非常時に、非常ボタンをワンクリックするだけで、緊急警報手段と緊急通報手段が同時に機能して、周囲に警報音を発生させると同時に登録した緊急連絡先に自動発信するので、簡単な操作で、迅速に周囲と緊急連絡先に危険や状況を知らせることができる。そのため、特に、事件や事故に巻き込まれる可能性の高い子供・女性又は高齢者であっても、非常時に有効に対応することができる。
【０００８】
請求項２記載の考案にあっては、非常ボタンを所定時間以上押し続けると、緊急通報手段のみが機能して、緊急警報手段は機能しない関係で、警報音を発生させずに緊急連絡先に自動発信することができるので、例えば、強盗に襲われた場合等には、不審者を逆上させることなく、緊急連絡先に危険や状況を知らせることができる。
【０００９】
請求項３記載の考案にあっては、緊急通報手段は、緊急連絡先以外との通話状態を解除して機能するので、緊急連絡先以外との通話中に、非常時となっても、迅速に緊急連絡先に危険や状況を知らせることができる。
【考案を実施するための最良の形態】
【００１０】
本考案は、警報音を発生させる緊急警報手段と、予め登録した連絡先に自動発信する緊急通報手段を備える携帯電話機であって、上記緊急警報手段と上記緊急通報手段を機能させる非常ボタンを設け、当該非常ボタンをワンクリックすると、上記緊急警報手段と上記緊急通報手段が同時に機能することにより、非常時に、迅速に周囲と緊急連絡先に危険や状況を知らせんとするものである。
【実施例】
【００１１】
以下、本考案を図示する好適な実施例に基づいて詳述すれば、該実施例に係る携帯電話機も、基本的には、従来の携帯電話機と同様に、図１・図２に示す如く、折り畳み式の本体１の表面側に液晶表示部２と操作ボタン群３とを設け、裏面側にスピーカー４を設けて、本体１の内部には、図３に示す如く、登録した連絡先を記憶する記憶手段５と、通話やメール送受信を行なう通信手段６と、ＧＰＳ（Global Positioning System）等を利用した位置検出手段７を備えるものであるが、特徴とするところは、上記の構成に加えて、図３に示す如く、本体１の内部に、緊急警報手段８と緊急通報手段９を備え、図１に示す如く、本体１の表面側に上記緊急警報手段８と上記緊急通報手段９を機能させる非常ボタン１０を設ける構成を採用した点にある。
【００１２】
まず、緊急警報手段８を図３に示す流れに沿って説明すると、該緊急警報手段８は、後述する非常ボタン１０の操作により機能して、警報音発生装置（図示せず）により警報音を発生させて、スピーカー４を利用して、周囲に警報音を発するものである。この為、非常ボタン１０の操作により緊急警報手段８が機能すると、警報音が周囲に発せられることとなるので、迅速に周囲に危険や状況を知らせることができる。
【００１３】
次に、緊急通報手段９を図３に示す流れに沿って説明すると、該緊急通報手段９は、後述する非常ボタン１０の操作により機能して、予め登録された緊急連絡先を記憶手段５に対して照会して、該記憶手段５により検出された緊急連絡先に通信手段６を利用して、自動発信するものである。この為、非常ボタン１０の操作により緊急通報手段９が機能すると、緊急連絡先に電話がかかることとなるので、当該緊急連絡先に迅速に危険や状況を知らせることができる。ここで、緊急連絡先は、実施に応じ任意に登録されるもので、家族に常時通じる電話番号や警察の１１０番に限らず、２４時間サポート可能な民間の警備会社等の電話番号でもよい。
【００１４】
最後に、非常ボタン１０について説明すると、該非常ボタン１０は、上述した緊急警報手段８と緊急通報手段９とを機能させるためのもので、通常の操作ボタン群３と同様に、本体１の表面側に設けられる。そして、図３に示す流れの如く、非常ボタン１０をワンクリックすると、緊急警報手段８と緊急通報手段９を同時に機能させるが、所定時間以上押し続けると、緊急通報手段９のみを機能させる構造となっている。ここで、非常ボタン１０を押し続ける所定時間は、短すぎても長すぎても有効ではなく、２〜３秒が好ましい。尚、非常ボタン１０を設ける位置は、本実施例のように、本体１の表面側に限定されるものではなく、本体１の外面であればどこでも良いが、本実施例のように、折り畳み式の本体１の場合には、折り畳み時の誤操作を防止するため、本体１の表面側に設けることが好ましい。
【００１５】
従って、本考案に係る携帯電話機の使用に際しては、従来の携帯電話機と同様に、通信手段を利用した通話やメール送受信ができると共に、連絡先の相手が位置検出手段７を利用して、発信位置を特定できるのは、言うまでもないが、非常時には、非常ボタン１０をワンクリックすれば、図３に示す流れの如く、緊急警報手段８と緊急通報手段９が同時に機能して、周囲に警報音を発生させると同時に登録した緊急連絡先に自動発信するので、簡単な操作で、迅速に周囲と緊急連絡先に危険や状況を知らせることができる。そのため、特に、事件や事故に巻き込まれる可能性の高い子供・女性又は高齢者であっても、非常時に有効に対応することができる。
【００１６】
又、非常ボタン１０を所定時間以上押し続けると、図３に示す流れの如く、緊急通報手段９のみが機能して、緊急警報手段８は機能しない関係で、警報音を発生させずに緊急連絡先に自動発信することができるので、例えば、強盗に襲われた場合等には、不審者を逆上させることなく、緊急連絡先に危険や状況を知らせることができる。
【００１７】
更に、緊急通報手段９は、図３に示す流れの如く、緊急連絡先以外との通話中であっても、当該通話状態を解除して機能することができるので、緊急連絡先以外との通話中に、非常時となっても、迅速に緊急連絡先に危険や状況を知らせることができる。
【産業上の利用可能性】
【００１８】
本考案に係る携帯電話機は、非常時に、簡単な操作で、周囲と緊急連絡先に危険や状況を知らせることができるので、これを多くの人が携帯すれば、防犯や被害者救済の観点から頗る好都合なものとなる。
【図面の簡単な説明】
【００１９】
【図１】本考案の実施の形態に係る携帯電話機を表側から示す斜視図である。
【図２】本考案の実施の形態に係る携帯電話機を裏側から示す斜視図である。
【図３】本考案の実施の形態に係る携帯電話機の機能を説明する模式図である。
【符号の説明】
【００２０】
１    本体
２    液晶表示部
３    操作ボタン群
４    スピーカー
５    記憶手段
６    通信手段
７    位置検出手段
８    緊急警報手段
９    緊急通報手段
１０  非常ボタン
【図１】
0003146368.tif 000003
【図２】
0003146368.tif 000004
【図３】
0003146368.tif 000005